(57)【要約】【目的】雑音成分が少ない電気クロック信号を再生することができ、かつ、光パルス信号の電場ベクトルの振動面の回転揺らぎによっても、ゲーティングにおける受信信号の劣化を防ぐことができる。【解決手段】光時分割多重通信装置は、光ＭＵＸ部１０と光ＤＥＭＵＸ部２０とを具えて構成される。光ＭＵＸ部は、第１の光パルス列１３ｂ及び第２の光パルス列（光クロック信号）１３ａの二つの光線束に分離する第１の偏光分波器１２と、第１の光パルス列が入力され光パルス信号を生成するコーディング部１４と、コーディング部から出力される光パルス信号１５と光クロック信号とを合波する偏光合波器１６とを具えて構成される。一方、光ＤＥＭＵＸ部は、光パルス信号と光クロック信号とが合波され、光ファイバ１８を介して伝送される光線束１９を偏光方向が互いに直交する光パルス信号２５ｂと光クロック信号２５ａの二つの光線束に分離する第２の偏光分波器２４と分離された光パルス信号をゲーティングするゲーティング部２８とを具えて構成される。【選択図】      図１
2005005897.tif 000002
【特許請求の範囲】
【請求項１】
光ＭＵＸステップと光ＤＥＭＵＸステップとを含み、
該光ＭＵＸステップは、光パルス列を、第１の光パルス列と光クロック信号としての第２の光パルス列とにその偏光方向が互いに直交するように分波する光パルス列分波ステップと、
該第１の光パルス列から光パルス信号を生成するコーディングを実行するコーディングステップと、
該光パルス信号と前記第２の光パルス列とをその偏光方向が互いに直交するように合波する合波ステップとを含み、
前記光ＤＥＭＵＸステップは、前記光パルス信号と前記第２の光パルス列とが合波された光時分割多重信号を、その偏光方向が互いに直交する該光パルス信号と該第２の光パルス列とに分離する分波ステップと、
該光パルス信号をゲーティングするゲーティングステップとを含むこと
を特徴とする光時分割多重通信方法。
【請求項２】
請求項１に記載の光時分割多重通信方法であって、
光パルス列分波ステップが、
偏光特性を有さない分波器によって第１の光パルス列と第２の光パルス列とに分波するステップと、
１／２波長板によって該第２の光パルス列の電場ベクトル振動面を回転するステップとを含むこと
を特徴とする光時分割多重通信方法。
【請求項３】
請求項１に記載の光時分割多重通信方法であって、
前記分波ステップは、前記光パルス信号と前記第２の光パルス列とを互いの光強度成分を含むことなく二つに分離するための、前記光パルス信号と前記第２の光パルス列とが合波された光時分割多重信号の偏光状態を調整する偏光状態調整ステップを含むこと
を特徴とする光時分割多重通信方法。
【請求項４】
光ＭＵＸ部と光ＤＥＭＵＸ部とを具え、
該光ＭＵＸ部は、光パルス列をその偏光方向が互いに直交する第１の光パルス列及び光クロック信号としての第２の光パルス列の二つに分波する第１の偏光分波器と、
該第１の光パルス列が入力され、光パルス信号を生成するコーディング部と、
該コーディング部から出力される該光パルス信号と前記第２の光パルス列とを合波する偏光合波器とを具えて構成され、
前記光ＤＥＭＵＸ部は、前記光パルス信号と前記第２の光パルス列とが合波された光時分割多重信号をその偏光方向が互いに直交する該光パルス信号と該第２の光パルス列の二つに分波する第２の偏光分波器と、
該光パルス信号をゲーティングするゲーティング部とを具えて構成されることを特徴とする光時分割多重通信装置。
【請求項５】
請求項４に記載の光時分割多重通信装置であって、
光パルス列をその偏光方向が互いに直交する前記第１の光パルス列及び前記第２の光パルス列の二つの光線束に分波する第１の偏光分波器が、偏光特性を有さない分波器と１／２波長板とが組み合わされて構成されていること
を特徴とする光時分割多重通信装置。
【請求項６】
請求項４に記載の光時分割多重通信装置であって、
前記光ＤＥＭＵＸ部が、前記光パルス信号と前記第２の光パルス列とが合波された光時分割多重信号を、前記光パルス信号と前記第２の光パルス列とを互いの光強度変調成分を含むことなく二つに分波するための、前記光パルス信号と前記第２の光パルス列とが合波された光時分割多重信号の偏光状態を調整する偏光調整器を具えることを特徴とする光時分割多重通信装置。
【発明の詳細な説明】
【０００１】
【発明の属する技術分野】
この発明は、光時分割多重通信の分野で用いられる光時分割多重通信方法、特に光クロック信号の伝送方法及びその方法を実施するために用いて好適な装置に関する。
【０００２】
【従来の技術】
時分割多重通信（ＯＴＤＭ：  Ｏｐｔｉｃａｌ  ｔｉｍｅ  ｄｏｍａｉｎ  ｍｕｌｔｉｐｌｅｘ）とは、並列に光パルス信号（光パルス列を光変調して、電気パルス信号を光パルス信号に変換したもの）を生成（以後「コーディング」ともいう。）し、それを多重化（光ＭＵＸ：Ｍｕｌｔｉｐｌｅｘ）して送信し、受信側で送信側とは逆操作である、ゲート信号によって光時分割多重信号から光パルス信号を分離（以後「ゲーティング）ともいう。）することにより、元の並列光パルス信号に戻す（光ＤＥＭＵＸ：Ｄｅｍｕｌｔｉｐｌｅｘ）方式を採る通信である。
【０００３】
光ファイバ通信において、光ファイバ通信網等の光通信資源を有効に利用できるようにするためには、通信速度をできる限り高める必要がある。ここで通信速度とは単位時間当たり何ビットの情報を送受信できるかを示す速度であり、ビットレートとも言う。したがって、ＯＴＤＭは、光パルス信号を多重化することによって、このビットレートを高めて、情報を送受信できるように工夫された通信方法の一つであるといえる。
【０００４】
ＯＴＤＭにおいて、コーディングあるいはゲーティングの際の時間基準となる信号をサブハーモニックベースレートクロック（以後単に「クロック」あるいは「基準クロック」ということもある。）信号と呼ぶ。受信側に設置される光ＤＥＭＵＸ装置では、送信側でコーディングする際に時間基準として使われたクロック信号を再生し、これを用いてゲーティングされる。
【０００５】
したがって、光時分割多重された光パルス信号から、クロック信号を抽出する技術（以後単に「クロック信号再生」ということもある。）が必要であり、そのためクロック信号再生のための方法が数々検討されている。
【０００６】
クロック信号再生のための方法の一つとして、以下に説明する方法がある。まず、送信側であるＯＴＤＭ送信器は、光パルス列を生成するモード同期半導体レーザとＬｉＮｂＯ３光変調器を具えて構成される。モード同期半導体レーザで生成された光パルス列は、チャンネル数分に分波されて、それぞれのチャンネル毎に設けられたＬｉＮｂＯ３光変調器に導入されてこのＬｉＮｂＯ３光変調器によってコーディングされて光パルス信号が生成される。このようにして生成されたチャンネル数分の光パルス信号は、合波されて、光時分割多重信号となり送信される。
【０００７】
以後、光パルス信号との表現は、光パルス列を光変調して２値デジタル電気信号である電気パルス信号を光パルス信号に変換して得られる、２値デジタル電気信号を反映した光パルス列を意味する場合のみに使用するものとする。一方、光パルス列との表現は、規則正しい一定の間隔（ビットレートに相当する周波数の逆数に相当する時間間隔）で光短パルスが並ぶ光パルス列を指すものとして用いる他、特に混乱が生じない範囲で、上述の光パルス信号の意味にも用いることもある。
【０００８】
受信側では、受信した光時分割多重信号である光パルス信号を二つに分波して（以後「タップする」ともいう。）、一方の分波光パルス信号を光電変換器で電気信号に変換する。この電気信号から電気クロック信号を抽出する。この電気クロック信号は、基準クロック信号の周波数のチャンネル数倍の周波数のＲＦ（Ｒａｄｉｏ  Ｆｒｅｑｕｅｎｃｙ）信号であるので、チャンネル数分の１に分周して、基準クロック信号の周波数に等しいＲＦ信号を発生させる。そして、この基準クロック信号の周波数のＲＦ信号で電界吸収型光変調器を駆動させて、上述した二つに分波されたもう一方の光時分割多重信号をゲーティングする（例えば、非特許文献１参照）。
【０００９】
光パルス列あるいは光パルス信号は、ＲＺ（ｒｅｔｕｒｎ  ｔｏ  ｚｅｒｏ）信号と呼ばれ、光短パルスが時間軸上で並んだものであるので、これを光電変換して得られる電気パルス信号には、この光パルス列あるいは光パルス信号の周波数（ビットレート）に相当する周波数に等しい周波数を有するＲＦ成分が含まれている。したがって、光パルス信号を電気パルス信号に変換した後、Ｑ値の高いバンドパスフィルタを通してフィルタリングした後、周波数分周して光ＤＥＭＵＸを実行するためのゲーティング信号を得て、このゲーティング信号によって上述した二つに分波されたもう一方の光時分割多重信号をゲーティングすることができる。
【００１０】
また、クロック信号の抽出手法においては、以下のような工夫がなされている。すなわち、受信した光時分割多重信号である光パルス信号と、電圧制御発振器に基づいてクロック光パルス発生器から発生される光クロック信号とを、非線形光学媒体の中で４光波混合を実現させて、この４光波混合で発生した光パルスを制御光として、光クロック信号の繰返し周波数を安定化する方法が知られている（例えば、特許文献１参照）。
【００１１】
また、光パルス信号に、偏光スクランブラーを用いてクロック周波数で偏光スクランブルを起こさせて、光ファイバを介して受信した光パルス信号の偏光成分から電場ベクトルの振動面の回転揺らぎの影響を受けずに光クロック信号を抽出し、この光クロック信号に同期した光パルス信号を再生する方法が提案されている（例えば、特許文献２参照）。
【００１２】
しかし、特許文献１に開示されている方法では、４光波混合を発生させるために必要となる位相整合条件等を吟味する必要があり、そのため、これらの条件に合致する波長分散特性を有する非線形光学媒体を製造する等の、難しい技術が必要である。また、特許文献２に開示されている方法では、偏光スクランブルのスクランブル周波数を十分に高速にすることができないという問題がある。また、偏光スクランブラーそのものが固有の偏光依存性を有するために、この偏光スクランブラーの有する偏光依存性を考慮した装置の設計が必要となり、そのため設計上の制約条件が多くこちらも難しい技術が必要である。
【００１３】
【特許文献１】
特開平８−６５２７０号公報
【特許文献２】
特開平９−１８４２２号公報
【非特許文献１】
Ｄ．Ｄ．  Ｍａｒｃｅｎａｃ  ｅｔ  ａｌ．，  “４０  Ｇｂｉｔ／ｓ  ｔｒａｎｓｍｉｓｓｉｏｎ  ｏｖｅｒ  ４０６  ｋｍ  ｏｆ  ＮＤＳＦ  ｕｓｉｎｇ  ｍｉｄ−ｓｐａｎ  ｓｐｅｃｔｒａｌ  ｉｎｖｅｒｓｉｏｎ  ｂｙ  ｆｏｕｒ−ｗａｖｅ−ｍｉｘｉｎｇ  ｉｎ  ａ  ２ｍｍ  ｌｏｎｇ  ｓｅｍｉｃｏｎｄｕｃｔｏｒ  ｏｐｔｉｃａｌ  ａｍｐｌｉｆｉｅｒ”，  Ｅｌｅｃｔｒｏｎｉｃｓ  Ｌｅｔｔｅｒｓ  ８ｔｈ  Ｍａｙ  １９９７，  ｐｐ．８７９−８８０，  Ｖｏｌ．３３，  Ｎｏ．１０，  １９９７．
【００１４】
【発明が解決しようとする課題】
非特許文献１に開示されている光時分割多重伝送方法では、光ファイバを介して伝送された光パルス信号の強度が一瞬低くなりすぎて、再生された電気クロック信号による制御がこの瞬間にはずれた場合、再び電気クロック信号によって正常に制御される最先の光パルスは、光多重されたどのチャンネルのものであるかが不明となってしまう。
【００１５】
また、特許文献１及び特許文献２に開示されている光時分割多重伝送方法には、上述したように難しい技術が含まれている。
【００１６】
そこで、この発明の目的は、従来の光時分割多重信号から再生される電気クロック信号よりも、雑音成分が少ない電気クロック信号を再生することができ、かつ、光ファイバを介して伝送される光時分割多重信号である光パルス信号の電場ベクトルの振動面の回転揺らぎによる受信信号の劣化を防ぐことにある。これによって上述した非特許文献１、特許文献１及び特許文献２に開示された技術が有する問題点を解消した光時分割多重通信方法及び光時分割多重通信装置を提供する。
【００１７】
【課題を解決するための手段】
上述の目的を達成するため、この発明による光時分割多重通信方法は、光ＭＵＸ（Ｍｕｌｔｉｐｌｅｘ）を実行する光ＭＵＸステップと光ＤＥＭＵＸ（Ｄｅｍｕｌｔｉｐｌｅｘ）を実行する光ＤＥＭＵＸステップとを含んでいる。
【００１８】
光ＭＵＸステップは、光パルス列の伝播姿態である光線束を第１の光パルス列及び光クロック信号とし機能する第２の光パルス列の二つの光線束とにその電場ベクトルの振動面（以後「偏光方向」ということもある。）が互いに直交するように分離する光パルス列分波ステップと、第１の光パルス列から光パルス信号を生成するコーディングを実行するコーディングステップと、コーディングされ光時分割多重された光パルス信号と上記光クロック信号とを合波する合波ステップとを含んでいる。
【００１９】
以後、第２の光パルス列を光クロック信号ということもある。また、誤解の生じない範囲で、光パルス列あるいは光パルス信号の伝播姿態である光線束という代わりに単に光パルス列あるいは光パルス信号ということもある。
【００２０】
光ＤＥＭＵＸステップは、光時分割多重された光パルス信号と光クロック信号とが合波された光線束を、偏光方向が互いに直交する光時分割多重された光パルス信号と光クロック信号との二つの光線束に分離する分波ステップと、この光時分割多重された光パルス信号をゲーティングするゲーティングステップとを含んでいる。
【００２１】
上述のこの発明に係る光時分割多重通信方法を実施するための光時分割多重通信装置は、光ＭＵＸを実行するステップを実現させるための光ＭＵＸ  部（Ｍｕｌｔｉｐｌｅｘｅｒ）と、光ＤＥＭＵＸを実行するステップを実現するための光ＤＥＭＵＸ部  （Ｄｅｍｕｌｔｉｐｌｅｘｅｒ）とを含んでいる。
【００２２】
光ＭＵＸ  部は、光パルス列の伝播姿態である光線束を第１の光パルス列及び光クロック信号の二つの光線束にその偏光方向が互いに直交するように分離する第１の偏光分波器と、この第１の光パルス列が入力され光パルス信号を生成するコーディング部と、このコーディング部から出力される光時分割多重された光パルス信号と光クロック信号とを合波する偏光合波器とを具えている。
【００２３】
また、光ＤＥＭＵＸ部は、光時分割多重された光パルス信号と光クロック信号とが合波された光線束をその偏光方向が互いに直交する光時分割多重された光パルス信号と光クロック信号の二つの光線束に分離する第２の偏光分波器と、この光パルス信号をゲーティングするゲーティング部とを具えている。
【００２４】
上述した光時分割多重通信方法及び光時分割多重通信装置によれば、偏光方向が互いに直交する光パルス信号と光クロック信号とを合波して送信する構成となっている。そして、光ファイバを介して受信された上記光時分割多重された光パルス信号と光クロック信号とが合波された光線束を、再び受信側で、偏光方向が互いに直交する光時分割多重された光パルス信号と光クロック信号との二つの光線束に分離する構成となっている。
【００２５】
この発明によれば、光時分割多重された光パルス信号とは偏光方向を異ならせることによって、光ファイバを介して独立に光クロック信号を送信することができる。したがって、光時分割多重信号に光クロック信号を潜在化させて送信し、受信側でこの光時分割多重信号から、電気クロック信号として再生する従来の方法と比べて、この発明によれば、光パルス信号と光クロック信号とを独立に処理できるので、再生される電気クロック信号の雑音成分は少なくすることができる。
【００２６】
また、この発明によれば、電気クロック信号を抽出する従来方法よりも、簡便な方法で電気クロック信号を抽出できる。
【００２７】
また、従来の光時分割多重通信技術においては、光時分割多重信号のビットレートが、電気素子の処理能力の限界である４０ないし５０  Ｇｂｉｔ／ｓ以上の周波数となると、光時分割多重信号から光クロック信号を抽出するためには特別な工夫を必要とした。
【００２８】
しかし、上述のこの発明によれば、光クロック信号が光時分割多重信号とは独立に送られるので、光時分割多重信号のビットレートが４０ないし５０  Ｇｂｉｔ／ｓ以上であっても、光クロック信号の周波数は、光時分割多重信号の周波数の多重されたチャンネル数分の一であるので、容易に光クロック信号から電気クロック信号を抽出できる。
【００２９】
また、光ファイバを介して伝送された光パルス信号の強度が一瞬低くなりすぎて、再生された電気クロック信号による制御が一瞬の間はずれた場合でも、再び電気クロック信号によって正常に制御される最先の光パルスは、光多重されたどのチャンネルのものであるかを容易に確定できる利点がある。
【００３０】
更に、この発明に係る光時分割多重通信方法の実施に当り、光ＤＥＭＵＸステップを、光パルス信号と光クロック信号とが合波された光線束の偏光状態を調整する偏光状態調整ステップを含む構成とするのが好適である。偏光状態調整ステップは、分波ステップにおいて、この光パルス信号とこの光クロック信号とが互いの光強度成分を含むことなく二つの光線束に分離するために光時分割多重信号の偏光状態を調整するステップである。ここで、光線束の偏光状態とは、特に光線束の電場ベクトルの振動面の方向を指す。
【００３１】
また、この発明に係る上述の光時分割多重通信方法の実施に当り、光ＤＥＭＵＸ部が、この光時分割多重された光パルス信号とこの光時分割多重された光クロック信号とが合波された光線束の偏光状態を調整する偏光調整器を具えるのが好適である。偏光調整器は、この光時分割多重された光パルス信号とこの光クロック信号とが合波された光線束を、この光時分割多重された光パルス信号の光線束とこの光クロック信号の光線束とが互いの光強度変調成分を含むことなく二つの光線束に分離するために、光時分割多重信号の偏光状態を調整するための素子である。
【００３２】
上述した光時分割多重通信方法、及び光時分割多重通信装置の好適例によれば、光時分割多重信号と光クロック信号とが合波され、光ファイバを介して伝送された光線束の偏光状態が揺らいでも、上述の偏光調整器によって、この合波された光線束の偏光状態を調整して、光時分割多重された光パルス信号の光線束と光クロック信号の光線束とが互いの光強度変調成分を含むことなく二つの光線束に分離できる。このことによって、光時分割多重信号をゲーティングする際に、各チャンネルの信号の劣化を防止できる。
【００３３】
【発明の実施の形態】
以下、図１から図９を参照して、この発明の実施の形態につき説明する。なお、各図は、この発明に係る一構成例を図示するものであり、この発明が理解できる程度に各構成要素の配置関係等を概略的に示しているに過ぎず、この発明を図示例に限定するものではない。また、以下の説明において、特定の材料および条件等を用いることがあるが、これら材料および条件は好適例の一つに過ぎず、したがって、何らこれらに限定されない。また、各図において同様の構成要素については、同一の番号を付して示し、その重複する説明を省略することもある。
【００３４】
以下に示す図において、光ファイバ等の光信号の経路を太線で示し、電気信号の経路を細線で示してある。またこれら太線および細線に付された番号および記号は、それぞれ光信号あるいは電気信号を意味する。
【００３５】
図１に示すブロック構成図を参照して、この発明の実施の形態である光時分割多重通信方法と、光時分割多重通信装置の構成及びその各部の機能とを併せて説明する。
【００３６】
光時分割多重通信装置は、送信部１０及び受信部２０を具えている。以後、送信部１０を、複数のチャンネルの信号を担う光パルス信号を合波する機能を有する部分を含むことから、光ＭＵＸ部１０と記述することもある。また、受信部２０を、光ファイバ１８を介して伝送された光時分割多重信号を個々のチャンネルの信号を担う光パルス信号に分波する機能を有する部分を含むことから、光ＤＥＭＵＸ部２０と記述することもある。
【００３７】
光ＭＵＸ部１０は、光パルス列１１を偏光分離する第１の偏光分波器１２、コーディング部１４及び偏光合波器１６を具えている。偏光合波器１６は、コーディング部１４から出力される光時分割多重された光パルス信号１５と第１の偏光分波器１２によって分波された光クロック信号１３ａとを合波して、光パルス信号（光時分割多重信号）１７を生成する機能を有する。
【００３８】
光ＤＥＭＵＸ部２０は、光パルス信号１５と光クロック信号１３ａとが合波され光ファイバ１８を介して伝送された光時分割多重された光パルス信号（光時分割多重信号）１９を偏光分波する第２の偏光分波器２４、電気クロック信号抽出部２６及びゲーティング部２８を具えている。また、好ましくは、光ＤＥＭＵＸ部２０に偏光調整器２２を加えて構成するのが良い。
【００３９】
実施の形態の説明においては、説明の便宜上、基準クロック信号の周波数を１０  ＧＨｚとし、及び時間多重するチャンネル数を４チャンネルとして説明する。もちろん、この発明の光時分割多重通信方法及び光時分割多重通信装置においては、これ以外の周波数のクロック信号を用いてもよく、またこれ以外のチャンネル数でも適用できることは言うまでもない。
【００４０】
図１に示す光時分割多重通信装置において、例えばモード同期半導体レーザ（図示せず）によって繰返し周波数が１０  ＧＨｚの光パルス列１１を得て、この光パルス列１１を第１の偏光分波器１２によって、第１の光パルス列１３ｂと第２の光パルス列１３ａとに分波する。ただし、分波された第１の光パルス列１３ｂと第２の光パルス列１３ａの伝播姿態である光線束の偏光方向は、それぞれ互いに直交する方向になるように分波される（光パルス列分波ステップ）。
【００４１】
このためには、例えば、光パルス列１１をｐ偏光成分とｓ偏光成分とを含む光線束として、偏光分波器１２によって第１の光パルス列１３ｂをｐ偏光に、一方第２の光パルス列１３ａをｓ偏光になるように偏光分離する構成とすればよい。
【００４２】
第１の光パルス列１３ｂは、コーディング部１４に入射して、複数チャンネルの光パルス信号に変換（コーディングステップ）された上で時間軸上で多重された時分割多重光パルス信号１５となって、偏光合波器１６に入射する。なお、第１の光パルス列をコーディング部１４に入射して、複数チャンネルの電気パルス信号を光パルス信号に変換した上で時間多重された時分割多重光パルス信号１５が生成される過程については、後述する。
【００４３】
一方、第２の光パルス列１３ａは、光クロック信号として使われるために、偏光合波器１６において、時分割多重光パルス信号１５と合波されて（合波ステップ）、光ＭＵＸ部（送信部）１０から光時分割多重信号１７となって光ファイバ（伝送路）１８を介して、光時分割多重信号１９となり光ＤＥＭＵＸ部（受信部）２０に伝送される。
【００４４】
ＤＥＭＵＸ部２０によって受信された光時分割多重信号１９は、偏光調整器２２を介して第２の偏光分波器２４に入射して光クロック信号２５ａ及び時分割多重光パルス信号２５ｂに偏光分波される（分波ステップ）。光クロック信号２５ａは、電気クロック信号抽出部２６によって電気クロック信号２６ａとなる。この電気クロック信号２６ａは、ゲーティング部２８に供給されて、時分割多重光パルス信号２５ｂを光ＤＥＭＵＸする（ゲーティングステップ）。これによって、時分割多重光パルス信号２５ｂは、２値光デジタル信号である各チャンネルの光パルス信号２９ａ、２９ｂ、２９ｃ及び２９ｄに分離される。光パルス信号２９ａ、２９ｂ、２９ｃ及び２９ｄは、光電変換（図示せず）されて、最終的な電気パルス信号として受信される。
【００４５】
上述の通り、光時分割多重通信装置において、第１の偏光分波器１２によって光パルス分離ステップが実行され、コーディング部１４によってコーディングステップが実行され、偏光合波器１６によって合波ステップが実行され、第２の偏光分波器２４によって分波ステップが実行され、ゲーティング部２８によって、ゲーティングステップが実行される。
【００４６】
なお、詳細は後述するが、光時分割多重信号１７が光ファイバ（伝送路）１８を介して、光時分割多重信号１９となって光ＤＥＭＵＸ部（受信部）２０に伝送される間、すなわち光時分割多重信号１７の電場ベクトルの振動面が光ファイバ（伝送路）１８を伝播している間に、その電場ベクトルの振動面が回転されて光時分割多重信号１９となっているおそれがある。この回転角度は、光時分割多重通信を実行している時間内で、時間の経過と共に変化する性質がある。
【００４７】
そのために、光パルス信号である光時分割多重信号１５と光クロック信号１３ａ
を担った光線束１７を、光パルス信号１５の光線束と光クロック信号１３ａの光線束とが互いの光強度変調成分を含むことなく二つの光線束に分離するには、ＤＥＭＵＸ部２０に光パルス信号１５と光クロック信号１３ａとが合波された光線束の偏光状態を調整する偏光調整器２２を設けておくことが好適である。この偏光調整器２２によって、偏光状態調整ステップが実行される。このことにより、光時分割多重信号をゲーティングする際に、各チャンネルの信号の劣化を防止できる。
【００４８】
＜光ＭＵＸ部（送信部）＞
図２を参照して、この発明の光時分割多重通信装置の光ＭＵＸ部１０について、説明する。光ＭＵＸ部１０は、第１の偏光分波器１２、コーディング部１４及び偏光合波器１６を具えている。
【００４９】
繰返し周波数が１０  ＧＨｚの光パルス列１１が第１の偏光分波器１２に入射して偏光分離されて光パルス列１３ａ及び１３ｂに偏光分波される。光パルス列１３ａは、繰返し周波数が１０  ＧＨｚの光クロック信号（基準クロック信号）である。光パルス列１３ｂは、分波器３２によってチャンネル数分に分波される。分波器３２の分波特性には偏光依存性がないこと（偏光非依存性であること）が望ましい。ここでは、４チャンネル光時分割多重通信を例に説明するので、光パルス列１３ｂは、分波器３２によって強度が等しい４つの光パルス列３３ａ、３３ｂ、３３ｃ及び３３ｄに分波される。
【００５０】
光パルス列３３ａ、３３ｂ、３３ｃ及び３３ｄは、それぞれ第１〜第４チャンネルの信号を担う。各チャンネルのコーディングは、それぞれ第１〜第４光変調器によって次のように行なわれ、その後再び合波器３８で合波され、光時分割多重信号１５となって偏光合波器１６で光クロック信号１３ａと合波され、光時分割多重信号１７として送信される。
【００５１】
光パルス列３３ａは、第１光変調器３４ａによってコーディングされる。第１チャンネルの情報が反映された２値デジタル電気信号が供給される第１光変調器３４ａによって、第１チャンネルの情報が反映された２値デジタル光パルス信号３５ａに変換される。以後説明の便宜のため、分波器３２、光変調器３４ａ及び合波器３８からなる光路を第１光路と呼ぶ。
【００５２】
光パルス列３３ｂは、第２光変調器３４ｂによってコーディングされる。第２チャンネルの情報が反映された２値デジタル電気信号が供給される第２光変調器３４ｂによって、第２チャンネルの情報が反映された２値デジタル光パルス信号３５ｂに変換される。そして、光パルス信号３５ｂは遅延微調器３６ｂによって、光クロック信号（基準クロック信号）の光パルス間隔の１／４に相当する時間遅延が付加され、光パルス信号３７ｂとなる。以後説明の便宜のため、分波器３２、光変調器３４ｂ、遅延微調器３６ｂ及び合波器３８からなる光路を第２光路と呼ぶ。
【００５３】
繰返し周波数が１０  ＧＨｚの光パルス列の時間軸上での隣接する光パルス間隔は０．１ｎｓであるので、付加される時間遅延量はこの値の１／４であるから、０．０２５ｎｓとなる。この間に光が進む距離は７．５ｍｍであるから、例えば、平行平板ガラス等を光路長に挿入することにより、７．５ｍｍに相当する光路長を付加すれば良い。例えば厚みが５ｍｍである屈折率１．５の平行平板ガラスを、時間遅延の微調整したがって光路長の微調整用として第２光路中に挿入すれば良い。
【００５４】
光パルス列３３ｃは第３光変調器３４ｃによってコーディングされる。第３チャンネルの情報が反映された２値デジタル電気信号が供給される第３光変調器３４ｃによって、第３チャンネルの情報が反映された２値デジタル光パルス信号３５ｃに変換される。そして、光パルス信号３５ｃは遅延微調器３６ｃによって、光クロック信号の光パルス間隔の２／４に相当する時間遅延が付加され、光パルス信号３７ｃとなる。これだけの時間遅延を付加するためには、上述したように、例えば厚みが１０ｍｍである屈折率１．５の平行平板ガラスを光路中に挿入すれば良い。以後説明の便宜のため、分波器３２、光変調器３４ｃ、遅延微調器３６ｃ及び合波器３８からなる光路を第３光路と呼ぶ。
【００５５】
光パルス列３３ｄは、第４光変調器３４ｄによってコーディングされる。第４チャンネルの情報が反映された２値デジタル電気信号が供給される第４光変調器３４ｄによって、第４チャンネルの情報が反映された２値デジタル光パルス信号３５ｄに変換される。そして、光パルス信号３５ｄは、遅延微調器３６ｄによって、光クロック信号の光パルス間隔の３／４に相当する時間遅延が付加され、光パルス信号３７ｄとなる。これだけの時間遅延を付加するためには、上述したように、例えば厚みが１５ｍｍである屈折率１．５の平行平板ガラスを光路中に挿入すればよい。以後説明の便宜のため、分波器３２、光変調器３４ｄ、遅延微調器３６ｄ及び合波器３８からなる光路を第４光路と呼ぶ。
【００５６】
光パルス信号３５ａ、３７ｂ、３７ｃ及び３７ｄは、合波器３８によって合波され（光ＭＵＸ）、光時分割多重信号１５となる。光時分割多重信号１５は、偏光合波器１６によって、光クロック信号１３ａと合波され光時分割多重信号１７となり、光ファイバを介して受信側に送信される。光時分割多重信号１７は、光時分割多重信号１５と光クロック信号１３ａとが、その偏光方向が互いに直交するように、合波されて生成される。
【００５７】
ここで、光時分割多重通信装置の送信部の機能を説明するために、図３（Ａ）、（Ｂ）、（Ｃ）及び（Ｄ）を参照して、上述した光時分割多重通信装置の送信部のそれぞれの箇所における、光パルス列あるいは光パルス信号等の時間軸に対する伝播姿態について説明する。
【００５８】
図３（Ａ）、（Ｂ）、（Ｃ）及び（Ｄ）は、それぞれ光信号１、光信号２、光信号３、及び光信号４として、光時分割多重通信装置の各箇所における、光パルス列の偏光方向と光電場の強度との時間変化の様子を示す。ｐ軸及びｓ軸によって電場ベクトルの振動面の方向を示し、横軸として時間軸ｔ軸を示している。ｐ軸及びｓ軸は、偏光分波器あるいは偏光合波器の分波面あるいは合波面に対してｐ偏光方向の偏光成分を有する光パルス列の強度（光パルスの電場強度）を、またｓ偏光方向の偏光成分を有する光パルス列の強度をそれぞれ目盛ってある。
【００５９】
偏光分波器１２によって、光パルス列１３ａ及び光パルス列１３ｂを、それぞれ、図３（Ｂ）及び（Ａ）に示す光信号２及び光信号１で表されるように偏光分波する。すなわち光時分割多重信号に変換される光パルス列１３ｂがｐ偏光、及び光クロック信号として機能することになる光パルス列１３ａがｓ偏光となるように、偏光分波器１２で偏光分波される。
【００６０】
ここでは、説明の都合上、このように分波されるものとして説明するが、もちろん光パルス列１３ａが図３（Ａ）の光信号１で表されるようにｐ偏光、及び光パルス列１３ｂが図３（Ｂ）の光信号２で表されるようにｓ偏光となるように、偏光分波器１２によって偏光分波してもよい。すなわちこの場合には、以下に説明する内容は、ｐ偏光とある部分をｓ偏光と、ｓ偏光とある部分をｐ偏光と逆に読み替えればよい。
【００６１】
光パルス列１３ａ及び光パルス列１３ｂは、繰返し周波数が１０  ＧＨｚの光パルス列であるから、図３（Ｂ）及び（Ａ）に示すように隣接する光パルス間隔Δｔは、０．１ｎｓである。また、光信号１及び光信号２の光パルス列の位相は同位相である。すなわち、光パルスｂ１と光パルスａ１とが時間軸上で存在する位置、光パルスｂ２と光パルスａ２とが時間軸上で存在する位置、及び光パルスｂ３と光パルスａ３とが時間軸上で存在する位置は、それぞれ等しい。
【００６２】
この理由は次のとおりである。モード同期半導体レーザ等で生成される光パルス列の伝播姿態である光線束は直線偏光である。したがって、この光線束の振動面を偏光分波器の分波面に入射するこの光線束の入射面に対してｐ偏光あるいはｓ偏光となる振動面に対して傾けて入射させることによって、偏光分波されたｐ偏光パルス列とｓ偏光パルス列との光パルスの時間軸上での存在位置が等しくなるように分波することができる。すなわち、光線束の振動面を偏光分波器の分波面に入射するこの光線束の入射面に対してｐ偏光あるいはｓ偏光となる振動面に対して傾けて入射させることにより、この光線束をｐ偏光成分とｓ偏光成分とを含む光線束として偏光分波器に入射させたことになる。そして、偏光分波器によってｐ偏光の光線束とｓ偏光の光線束とに偏光分離する構成とすることができる。
【００６３】
ここで、モード同期半導体レーザ等で生成される光パルス列の伝播姿態である光線束の振動面とは、この光線束の電場ベクトルの先端が描く軌跡を含む平面を意味する。また、偏光分波器の分波面に入射するこの光線束の入射面に対してｐ偏光あるいはｓ偏光となる振動面とは、ｐ偏光あるいはｓ偏光の光線束の電場ベクトルの先端が描く軌跡を含む平面を意味する。
【００６４】
また、光パルス列１３ａと光パルス列１３ｂとの強度比は、偏光分波器１２に入射する光パルス列１１の偏光分波器の分波面に対する電場ベクトルの振動面の方向に依存する。したがって、光パルス列１３ａと光パルス列１３ｂとの強度比は、多重するチャンネル数等によって要請される最適の強度比となるように、光パルス列１１の偏光分波器の分波面に対する電場ベクトルの振動面の方向を調整して、偏光分波器１２に光パルス列１１を入射させる必要がある。
【００６５】
第１〜第４光変調器によって変調され、第１〜第４チャンネルの信号をそれぞれに担う光パルス信号３５ａ、３７ｂ、３７ｃ及び３７ｄが合波器３８で合波されて得られる光時分割多重信号１５は、図３（Ｃ）に示すように光信号３で表される。図３（Ｃ）の光信号３において、光パルス信号３５ａ、３７ｂ、３７ｃ及び３７ｄに対応する光パルスをそれぞれ１、２、３及び４と番号を付して示してある。厳密には、１、２、３及び４と番号を付して示した位置は、第１〜第４チャンネルの各チャンネルの情報を担う光パルスが存在できる位置を示しており、第１〜第４チャンネルの信号によって、実際の光パルスが存在しない場合もあり得ることは、言うまでもない。以後、説明の便宜上、第１〜第４チャンネルの各チャンネルの情報を担う光パルスが存在できる位置を示すために、その位置に光パルスを存在させて説明する。
【００６６】
光パルス信号３７ｂは、遅延微調器３６ｂによって光パルス信号３５ａより光クロック信号の光パルス間隔０．１ｎｓの１／４に相当する０．０２５ｎｓ位相が遅れている。また、光パルス信号３７ｃは、遅延微調器３６ｃによって光パルス信号３５ａより光クロック信号の光パルス間隔０．１ｎｓの２／４に相当する０．０５ｎｓ位相が遅れている。また、光パルス信号３７ｄは、遅延微調器３６ｄによって光パルス信号３５ａより光クロック信号の光パルス間隔０．１ｎｓの３／４に相当する０．０７５ｎｓ位相が遅れている。
【００６７】
したがって、光パルス信号３５ａ、３７ｂ、３７ｃ及び３７ｄが合波器３８で合波されて得られる光時分割多重信号１５は、パルス間隔Δｔ’（＝Δｔ／４）  の光パルス列となる。すなわち、パルス間隔Δｔ’（＝Δｔ／４）  は上述したことから０．０２５ｎｓであることになる。
【００６８】
偏光合波器１６によって、光時分割多重信号１５と光クロック信号１３ａとが合波されて得られる光時分割多重信号１７は、図３（Ｄ）に示すように光信号４で表される。上述したことから、第１チャンネルの信号を担う光パルス信号の光パルスｂ１、ｂ２及びｂ３は、図３（Ｃ）及び（Ｄ）に示すように光信号３及び４で表す１、２、３及び４と番号を付された光パルスのうち１番の番号を付された光パルスに対応する。すなわち、１番の番号を付された第１チャンネルの信号を担う光パルス信号の光パルスが時間軸上で存在する位置と同位置に光クロック信号の光パルスａ１、ａ２及びａ３が存在する。ただし、両光パルスの偏光方向は互いに直交している。
【００６９】
上述した、１番の番号を付された第１チャンネルの信号を担う光パルス信号の光パルスが時間軸上で存在する位置と同位置に光クロック信号の光パルスａ１、ａ２及びａ３が存在することから次のことが言える。すなわち、受信側においてゲーティングする際、光ファイバを介して伝送された光パルス信号の強度が一瞬低くなりすぎて、再生された電気クロック信号による制御が一瞬の間はずれた場合であっても、再び電気クロック信号によって正常に制御される最先の光パルスは、光多重されたどのチャンネルのものであるかを容易に確定できるという効果を有する。
【００７０】
以上説明したように、送信部（光ＭＵＸ部）１０からは、図３（Ｄ）の光信号４に示す光パルス列が受信側に向けて光ファイバを介して伝送される。すなわち、光時分割多重信号１５と光クロック信号１３ａとは、それぞれｐ偏光及びｓ偏光といった別の伝播姿態によって、伝送されることになる。したがって両者の光パルスはその電場ベクトルの振動面が直交しているために、干渉等の相互作用は起こらない。
【００７１】
＜光ＭＵＸモジュール（その１）＞
図４を参照して、この発明の光ＭＵＸステップを実行する光ＭＵＸ部として使われる光ＭＵＸモジュールの構成例（その１）を説明する。４チャンネル分の情報をＭＵＸする機能を有する、クロック周波数（ここでは基準クロック信号の周波数である１０  ＧＨｚ）の４逓倍を実現する光ＭＵＸモジュールである。
【００７２】
この光ＭＵＸモジュールは、まず２逓倍を実現する２逓倍モジュールを２つ用いて構成される、クロック周波数の４逓倍を実現する４逓倍モジュールであることを説明する。
【００７３】
一つ目の２逓倍を実現する第１の２逓倍モジュール１１０は、分波器５２で分波された光パルス列５１ｂを第１光路を伝播する光パルス列５７ｂと第３光路を伝播する光パルス列５７ａとに分波する分波器５６と、第１光路と第３光路とをそれぞれ伝播した光パルス列６５と６９とを合波する合波器５８と、第１光路中に第１光変調器６４を具え、第３光路中に第３光変調器６６と遅延微調器６８とを具えている。
【００７４】
第１光路中および第３光路中には、ミラーによって構成される反射器６２及び反射器６０が挿入される。反射器６２は、第１光変調器６４から出力される光パルス信号６５の光路を合波器５８に向かう方向に変更するために挿入される。一方、反射器６０は、分波器５６から分波された光パルス信号５７ａの光路を光変調器６６に向かう方向に変更するために挿入される。
【００７５】
二つ目の２逓倍を実現する第２の２逓倍モジュール１１２は、分波器５２で分波された光パルス列５１ａを第２光路を伝播する光パルス列７１ｂと第４光路を伝播する光パルス列７１ａとに分波する分波器７０と第２光路と第４光路とをそれぞれ伝播した光パルス列７５と８３とを合波する合波器７２と、第２光路中に第２光変調器７８を具え、第４光路中に第４光変調器８０と遅延微調器８２とを具えて、構成される。
【００７６】
また、第２光路中および第４光路中には、ミラーによって構成される反射器７４及び反射器７６が挿入される。反射器７４は、光変調器７８から出力される光パルス信号７５の光路を合波器７２に向かう方向に変更するために挿入される。一方、反射器７６は、分波器７０を透過した光パルス信号７１ａの光路を光変調器８０に向かう方向に変更するために挿入される。
【００７７】
二つ目の２逓倍モジュール１１２から出力される光時分割多重信号７３は、繰返し周波数が１０  ＧＨｚの光クロック信号の光パルス間隔の１／４の時間（０．０２５ｎｓ）に相当する時間遅延を遅延微調器８４によって付加されて光時分割多重信号８５となって合波器５４に入射する。一方、一つ目の２逓倍モジュール１１０から出力される光時分割多重信号５９も合波器５４に入射し、上述の光時分割多重信号８５と合波されて、光時分割多重信号５５となる。
【００７８】
以上説明したことから、光時分割多重信号６５、７５、６９及び８３はそのビットレートが１０  Ｇｂｉｔ／ｓであることが分かる。また、光時分割多重信号５９及び光時分割多重信号７３は、そのビットレートが２０  Ｇｂｉｔ／ｓであることが分かる。また光時分割多重信号５５は、そのビットレートが４０  Ｇｂｉｔ／ｓであることが分かる。
【００７９】
以上説明したように、４チャンネルの情報をＭＵＸする機能を有する、クロック周波数の４逓倍を実現するモジュールは、一つ目の２逓倍を実現する２逓倍モジュール１１０及び二つ目の２逓倍を実現する２逓倍モジュール１１２を合わせることで構成される。
【００８０】
図５（Ａ）ないし（Ｈ）を参照して、４チャンネルの情報をＭＵＸする機能を有する、クロック周波数の４逓倍を実現するモジュール内での、光時分割多重信号の生成の過程を説明し、その機能を明らかにする。図５（Ａ）ないし（Ｈ）において横軸は時間ｔを、縦軸は光パルス信号の強度（ｐ偏光の強度）を示している。
【００８１】
まず、図２において定義した第１ないし第４光路がこの図５（Ａ）ないし（Ｈ）においてはどのように対応するかについて説明する。
【００８２】
第１光路については、次の通りである。図２に示す分波器３２は、図４に示す第１光路においては、分波器５２と分波器５６とで構成される。光変調器３４ａは、光変調器６４に対応する。合波器３８は、合波器５８と合波器５４とで構成される。したがって、第１光路は、分波器５２、分波器５６、光変調器６４、合波器５８及び合波器５４とによって構成されている。
【００８３】
第２光路については、次の通りである。図２に示す分波器３２は、図４に示す第２光路においては、分波器５２と分波器７０とで構成される。光変調器３４ｂは、光変調器７８に対応する。遅延微調器３６ｂは、遅延微調器８４に対応する。合波器３８は合波器７２と合波器５４とで構成される。したがって、第２光路は、分波器５２、分波器７０、光変調器７８、合波器７２、遅延微調器８４及び合波器５４とによって構成されている。
【００８４】
第３光路については、次の通りである。図２に示す分波器３２は、図４に示す第３光路においては、分波器５２と分波器５６とで構成される。光変調器３４ｃは、光変調器６６に対応する。遅延微調器３６ｃは、遅延微調器６８に対応する。合波器３８は、合波器５８と合波器５４とで構成される。したがって、第３光路は、分波器５２、分波器５６、光変調器６６、遅延微調器６８、合波器５８及び合波器５４とによって構成されている。
【００８５】
第４光路については、次の通りである。図２に示す分波器３２は、図４に示す第４光路においては、分波器５２と分波器７０とで構成される。光変調器３４ｄは、光変調器８０に対応する。遅延微調器３６ｄは、遅延微調器８２と遅延微調器８４とで構成される。合波器３８は、合波器７２と合波器５４とで構成される。したがって、第４光路は、分波器５２、分波器７０、光変調器８０、遅延微調器８２、合波器７２、遅延微調器８４及び合波器５４とによって構成されている。
【００８６】
図５（Ａ）ないし図５（Ｈ）は、光パルス信号６５、６９、５９、７５、８３、７３、８５及び５５の光パルスが時間軸上で存在する位置関係の説明に供する図である。横軸は時間軸であり、縦軸は光強度を目盛ってある。横軸の時間軸の目盛りの原点は、光パルス信号６５、６９、５９、７５、８３、７３、８５及び５５の全てが通過する点、例えば、合波器５４の合波面において、測定される時刻を基準に設定してある。すなわち、光パルス信号６５、６９、５９、７５、８３、７３、８５及び５５が合波器５４の合波面において、それぞれ別々に切り分けて測定されたならば、光パルス信号６５、６９、５９、７５、８３、７３、８５及び５５の光パルス位置の関係が、図５（Ａ）ないし図５（Ｈ）に示す位置関係をもって時間軸上に存在することを意味している。
【００８７】
図５（Ａ）は、第１光路を伝播する第１チャンネルの光パルス信号６５の光パルス１が時間軸上で存在する位置についての説明に供する図である。この光パルス信号６５のビットレートは１０  Ｇｂｉｔ／ｓである。したがって、光パルス間隔Δｔは、０．１ｎｓに等しい。
【００８８】
図５（Ｂ）は、第３光路を伝播する第３チャンネルの光パルス信号６９の光パルス３が時間軸上で存在する位置についての説明に供する図である。この光パルス信号６９のビットレートは、１０  Ｇｂｉｔ／ｓである。したがって、光パルス間隔Δｔは、０．１ｎｓに等しい。また、第３光路中には、遅延微調器６８が挿入されており、この遅延微調器６８によって、０．０５ｎｓの時間遅延が付加されている。したがって、光パルス信号６５の光パルス１が時間軸上で存在する位置と光パルス信号６９の光パルス３が時間軸上で存在する位置とでは、合波器５８の位置において観測すれば、Δｔ／２（＝０．０５ｎｓ）だけずれて観測される。
【００８９】
図５（Ｃ）は、第１光路を伝播する第１チャンネルの光パルス信号６５と第３光路を伝播する第３チャンネルの光パルス信号６９とが、合波器５８で合波されて生成された光時分割多重信号５９の光パルスが時間軸上で存在する位置についての説明に供する図である。上述した図５（Ａ）及び図５（Ｂ）に示してあるパルス列を合波したものであるから、光パルス信号６５の光パルス１と光パルス信号６９の光パルス３とが交互に、しかもパルス間隔Δｔ／２が０．０５ｎｓとなるように時間軸上で並んで存在する光パルス列となる。
【００９０】
図５（Ｄ）は、第２光路を伝播する第２チャンネルの光パルス信号７５の光パルス２が時間軸上で存在する位置についての説明に供する図である。この光パルス信号７５のビットレートは１０  Ｇｂｉｔ／ｓである。したがって、光パルス間隔Δｔは、０．１ｎｓに等しい。ただし、後述するように、第２光路を伝播する第２チャンネルの光パルス信号７５は、第４チャンネルの光パルス信号８３と合波された後、遅延微調器８４によって０．０２５ｎｓの時間遅延が付加される。
【００９１】
図５（Ｅ）は、第４光路を伝播する第４チャンネルの光パルス信号８３の光パルス４が時間軸上で存在する位置についての説明に供する図である。この光パルス信号８３のビットレートは１０  Ｇｂｉｔ／ｓである。したがって、光パルス間隔Δｔは、０．１ｎｓに等しい。また、第４光路中には、遅延微調器８２が挿入されており、この遅延微調器８２によって、０．０５ｎｓの時間遅延が付加されている。したがって、光パルス信号７５の光パルス２が時間軸上で存在する位置と光パルス信号８３の光パルス４が時間軸上で存在する位置とでは、合波器７２の位置において観測すれば、Δｔ／２（＝０．０５ｎｓ）だけずれて観測される。ただし、後述するように、第４光路を伝播する第４チャンネルの光パルス信号８３は、第２チャンネルの光パルス信号７５と合波された後、遅延微調器８４によって、上述した０．０５ｎｓの時間遅延に更に０．０２５ｎｓの時間遅延が付加され合計０．０７５ｎｓの時間遅延が付加される。
【００９２】
図５（Ｆ）は、第２光路を伝播する第２チャンネルの光パルス信号７５と第４光路を伝播する第４チャンネルの光パルス信号８３とが、合波器７２で合波されて生成された光時分割多重信号７３の光パルスが時間軸上で存在する位置についての説明に供する図である。上述した図５（Ｄ）及び図５（Ｅ）に示してあるパルス列を合波したものであるから、光パルス信号７５の光パルス２と光パルス信号８３の光パルス４とが交互に、しかもパルス間隔Δｔ／２が０．０５ｎｓとなるように時間軸上で並んで存在する光パルス列となる。
【００９３】
図５（Ｇ）は、光パルス信号７５と光パルス信号８３とが、合波器７２で合波されて生成された光時分割多重信号７３の光パルスが遅延微調器８４によって０．０２５ｎｓの時間遅延が付加された光時分割多重信号８５の光パルスが時間軸上で存在する位置についての説明に供する図である。時間遅延Δｔ／４＝０．０２５ｎｓが付加されることにより、図５（Ｆ）に示した光時分割多重信号７３の光パルスが時間軸上で存在する位置と光時分割多重信号８５の光パルスが時間軸上で存在する位置とは、Δｔ／４＝０．０２５ｎｓだけずれている。
【００９４】
図５（Ｈ）は、光時分割多重信号５９と光時分割多重信号８５とが合波器５４によって合波されて生成された光時分割多重信号５５の光パルスが時間軸上で存在する位置についての説明に供する図である。光時分割多重信号５９は、第１光路を伝播する第１チャンネルの光パルス信号６５と第３光路を伝播する第３チャンネルの光パルス信号６９とが、合波器５８で合波されて生成された光時分割多重信号である。光時分割多重信号８５は、第２光路を伝播する第２チャンネルの光パルス信号７５と第４光路を伝播する第４チャンネルの光パルス信号８３とが合波器７２で合波されて生成された光時分割多重信号７３の光パルスが遅延微調器８４によって０．０２５ｎｓの時間遅延が付加された光時分割多重信号である。
【００９５】
光時分割多重信号８５が遅延微調器８４によってΔｔ／４＝０．０２５ｎｓの時間遅延を付加されているために、光時分割多重信号５９の光パルスの存在位置と、光時分割多重信号８５の光パルス位置とはΔｔ／４＝０．０２５ｎｓだけずれて合波されることになる。その結果、図５（Ｈ）に示すように、第１チャンネルの光パルス１、第２チャンネルの光パルス２、第３チャンネルの光パルス３及び第４チャンネルの光パルス４とが交互に、しかもパルス間隔Δｔ／４が０．０２５ｎｓとなるように時間軸上で並んで存在する光パルス列となる。
【００９６】
以上説明したように、図４を参照して説明したこの発明の光ＭＵＸステップを実行する光ＭＵＸ部として使われる光ＭＵＸモジュールの構成例（その１）によれば、４チャンネル分の情報をＭＵＸする機能を有する光ＭＵＸ部として機能することが分かる。
【００９７】
また、図２に示す光クロック信号１３ａが伝播する光路と、この図４に示す光クロック信号１３ａが伝播する光路との対応関係を説明する。偏光分波器１２によって偏光分波して生成された光クロック信号１３ａは、反射器８８によって偏光合波器１６に向かう方向に光路変更されて、偏光合波器１６に入射する。偏光合波器１６において、第１チャンネルの光パルス信号、第２チャンネルの光パルス信号、第３チャンネルの光パルス信号及び、第４チャンネルの光パルス信号とが光時分割多重されて生成された光パルス信号５５とこの光クロック信号１３ａとが合波される。光パルス信号５５は、図３（Ｃ）に示す光信号３に対応する。光パルス信号５５は、反射器８６によって反射されてその光路を偏光合波器１６に向かう方向に変更された光パルス信号１５となって、偏光合波器１６に入射される。
【００９８】
既に図２を参照して説明したように、光クロック信号１３ａの伝播姿態である光線束の偏光方向と光パルス信号１５の伝播姿態である光線束の偏光方向とは直交している。
【００９９】
＜光ＭＵＸモジュール（その２）＞
図６を参照して、この発明の光ＭＵＸステップを実行する光ＭＵＸ部として使われる光ＭＵＸモジュールの別の構成例を説明する。図４を参照して説明した光ＭＵＸモジュール（その１）と図６に示す光ＭＵＸモジュール（その２）との相違は、偏光分離して得られる光クロック信号の生成部分にある。このほかの部分すなわち光ＭＵＸ部及びコーディング部については、図４を参照して説明した光ＭＵＸモジュール（その１）とその構成が同一であるので、この部分の説明は省略する。図６において、図４と同一の部分については、同一の符号を付してある。
【０１００】
以後、図４を参照して説明した光ＭＵＸモジュール（その１）を第１の光ＭＵＸモジュール、図６を参照して説明する光ＭＵＸモジュール（その２）を第２の光ＭＵＸモジュールと呼ぶ。
【０１０１】
第１の光ＭＵＸモジュールにおいては、偏光分波器１２によって光パルス列１１を、光時分割多重信号に変換される光パルス列１３ｂと光クロック信号として機能することになる光パルス列１３ａとに分波する際、光パルス列１３ｂがｐ偏光、及び光パルス列１３ａがｓ偏光となるように、偏光分波される構成としている。
【０１０２】
このことによって、両者の光パルスをその偏光方向が直交するように生成し、干渉等の相互作用が起こらないようにしている。そして光時分割多重された光パルス信号とは独立に、しかも光時分割多重された光パルス信号と光クロック信号の光パルスの時間軸上での存在位置に関して同位相の状態で光ファイバを介して送信することができるようにした。
【０１０３】
すなわち、第１の光ＭＵＸモジュールにおいては、光パルス列１１を偏光分波する手段として偏光分波器１２を用いた。しかし光パルス列１１を偏光分波する手段としては、偏光分波器１２を用いる他に通常の偏光特性を有さない分波器と１／２波長板とを組み合わせることによって、同様の機能を実現させることができる。偏光特性を有さない分波器９２と１／２波長板９０とを組み合わせ、光クロック信号を光パルス列１１から分波生成する構成としたのが、第２の光ＭＵＸモジュールである。これにともない、第１の光ＭＵＸモジュールにおいて使われた偏光合波器１６の代わりに偏光特性を有さない合波器９６を用いる。図６において、第１の光ＭＵＸモジュールと第２の光ＭＵＸモジュールとの相違する箇所を、第１の２逓倍モジュール１１０及び第２の２逓倍モジュール１１２を示す破線で囲った四角形とは区別できる、一点破線の四角形で囲って示す。
【０１０４】
もちろん、図６においては、１／２波長板９０を光クロック信号として機能することになる光パルス列（第２の光パルス列）１３ａの光路中に挿入する例を示しているが、第１の光パルス１３ｂの光路（すなわち分波器９２と分波器５２との間）に挿入する構成としても良いことは明らかである。技術的には等価な構成であり、１／２波長板９０をどちらに挿入するかは、単なる設計的事項にすぎない。
【０１０５】
このような構成とすることで、得られる利点は次の通りである。すなわち、光パルス列１１を光時分割多重信号に変換される光パルス列１３ｂと光クロック信号として機能することになる光パルス列１３ａとに分波する際に、光パルス列１３ｂと光パルス列１３ａとの強度比を任意にしかも容易に設定できる点である。
【０１０６】
光パルス列１３ｂは、複数のチャンネル分の１に更に分波されるために、偏光分波器１２あるいは分波器９２によって分波された直後に比べて、チャンネル数分の一にその光強度が減少する。すなわちチャンネル数を２ｎとした場合は、光強度は、１／２ｎ倍となる。しかも、コーディングの過程で光変調器等の素子を通過するために更に光強度が減少する。実際の光時分割多重通信装置においては、このために各チャンネルに光増幅器を挿入して、光強度の減少分を補う措置がとられる。
【０１０７】
一方、光パルス列１３ａは光クロック信号として光時分割多重信号１５と合波されるまで、光パルス列１３ｂと比較して光強度が減少する要因が少ない。したがって、光パルス列１１を光時分割多重信号に変換される光パルス列１３ｂと光クロック信号として機能することになる光パルス列１３ａとに分波する際には、光パルス列１３ｂの強度を光パルス列１３ａの強度に比べて大きくなるように分波することが望ましい。
【０１０８】
しかし、分波後の光線束の強度比である分波比が１対１とは異なる比率に分波できる偏光分波器を作ることは難しい。したがって偏光分波器１２によって光パルス列１３ｂの強度を光パルス列１３ａの強度に比べて大きくなるように分波することは一般に難しい。一方、偏光依存性を有さない分波器であれば分波比は容易に決められる。すなわち、第２の光ＭＵＸモジュールの構成とすれば、光パルス列１３ｂの強度を光パルス列１３ａの強度に比べて大きくなるように分波できるように分波器９２の分波比を設定し、１／２波長板９０によって光クロック信号の電場ベクトル振動面の方向を、光時分割多重信号１５と合波された後、光時分割多重信号１５の電場ベクトル振動面の方向（光パルス列１３ａ電場ベクトル振動面の方向）とが直交するように、調整することができる構成とすることができる。
【０１０９】
光パルス列１３ａの電場ベクトル振動面が１／２波長板９０の進相軸の方向とΘの角度（図示せず）をなすように光パルス列１３ａを１／２波長板に入射させると、光パルス列１３ａの電場ベクトル振動面が２Θ回転されて出力される。進相軸とは、１／２波長板の中を最も早く進む直線偏光成分の電場ベクトルの振動方向を与える軸であり、１／２波長板の中を進む光線束の伝播方向と直交する。
【０１１０】
したがって、１／２波長板を光パルス列１３ａの伝播する光路に挿入し、１／２波長板を回転させることによって、光パルス列１３ａの電場ベクトル振動面の方向を任意の方向に回転させることができる。光パルス列１３ａ及び光パルス列１３ｂはいずれも直線偏光であるので、光パルス列１３ａと光時分割多重信号１５とを合波させた後それぞれの電場ベクトルの振動方向が直交するように、光パルス列１３ａの電場ベクトル振動面の方向を１／２波長板を回転させることによって調整することができる。
【０１１１】
以上説明したように、分波器９２及び１／２波長板９０との組み合わせによって、光パルス列分波ステップを実行することができる。しかも、光パルス列１３ａ及び光パルス列１３ｂの光パルス強度比を任意に設定できるという利点がある。
【０１１２】
＜光ＤＥＭＵＸ部（受信部）＞
図７を参照してこの発明の光時分割多重通信装置の光ＤＥＭＵＸ部（受信部）２０の構成及びそれらの機能について説明する。光ＤＥＭＵＸ部２０は、光時分割多重信号１９を偏光分波する第２の偏光分波器２４、電気クロック信号抽出部２６及びゲーティング部２８を具えて構成される。また、好ましくは、光ＤＥＭＵＸ部２０に偏光調整器２２を加えて構成するのが良い。
【０１１３】
光時分割多重信号１９は、光クロック信号と４チャンネル分の光パルス信号を時分割多重した光時分割多重信号とが合波されている。光時分割多重信号１９の光パルスの偏光方向は互いに直交している。しかし、これらの振動面は、光クロック信号と光時分割多重信号１９の光パルスの偏光方向とは互いに直交しているという条件を保ちつつ、光ファイバを伝播する間に回転し、しかも時間の経過にしたがってこの振動面の回転角は変動する。
【０１１４】
そこで、偏光調整器２２を光時分割多重信号１９が偏光分波器２４に入射する手前の光路中に挿入し、上述した光時分割多重信号１９の光パルスの電場ベクトルの振動面と光クロック信号の光パルスの電場ベクトルの振動面とを以下に述べる方法で調整する。偏光調整器２２は、例えば、１／２波長板である。
【０１１５】
もちろん、光クロック信号と光時分割多重信号１９の光パルスの電場ベクトルの振動面が、光ファイバを伝播する間に回転し、しかも時間の経過にしたがってこの振動面の回転角は変動することがないように、光時分割多重通信装置が構成できれば、この偏光調整器２２は必要とされない。したがって、偏光調整器２２は、この発明の光時分割多重通信方法を実現するための光時分割多重通信装置を構成するためには、必須の構成要素ではない。すなわち、偏光調整器２２がなくとも、この発明の光時分割多重通信装置を構成できる。
【０１１６】
偏光調整器２２を通過した光時分割多重信号２３は、第２の偏光分波器２４によって、光クロック信号２５ａと光時分割多重信号２５ｂとに偏光分波される。光クロック信号２５ａは、第１の光カプラ２１０によって光クロック信号２５ａの一部を分波（以後「タッピング」するということもある。）され、第１の光パワー検出器２１４に送られる。このときタッピングする光エネルギーは、第１の光パワー検出器２１４によって光パワーの検出に支障が生じない程度に十分小さいことが望ましい。
【０１１７】
一方、光時分割多重信号２５ｂは、第２の光カプラ２１２によって光時分割多重信号２５ｂの一部がタッピングされ、第２の光パワー検出器２１６に送られる。第１の光パワー検出器２１４の出力電気信号２１５と第２の光パワー検出器２１６の出力電気信号２１７は、偏光調整器制御装置２１８に送られる。出力電気信号２１５及び２１７は、それぞれ第１及び第２の光パワー検出器が検出する光強度に比例した電圧あるいは電流信号である。
【０１１８】
偏光調整器制御装置２１８において、出力電気信号２１５と２１７が比較されて、出力電気信号２１５が最小かつ出力電気信号２１７が最大の値となるように、偏光調整器２２に信号２１９を送り、偏光調整器２２を構成している１／２波長板を回転する。偏光調整器２２は、偏光調整器制御装置２１８からの信号２１９によって、それを構成している１／２波長板が回転するように構成されている。
【０１１９】
出力電気信号２１５が最小かつ出力電気信号２１７が最大の値となるように、光時分割多重信号２３の電場ベクトルの振動面が調整されて、第２の偏光分波器２４に入射すれば、光クロック信号２５ａには光時分割多重信号２５ｂの電場成分が含まれずに偏光分波される。もし、光クロック信号２５ａには光時分割多重信号２５ｂの電場成分が一部含まれれば、そのエネルギーに相当する出力電気信号が、出力電気信号２１５に加算されかつ出力電気信号２１７から減算されるからである。
【０１２０】
このように偏光調整器制御装置２１８からの信号２１９によって、１／２波長板が回転するように構成することによって、光時分割多重信号２５ｂの電場成分が含まれない光クロック信号２５ａを分離することができる。ここで分離された光クロック信号２５ａのクロック周波数は、基準クロック周波数であることは明らかである。
【０１２１】
第２の偏光分波器２４で分波された光クロック信号２５ａは、第１の光カプラ２１０を通過して光クロック信号２５ａ’となって電気クロック信号抽出部２６に入射して電気クロック信号２６ａに変換されて、ゲーティング部２８に供給される。一方、第２の偏光分波器２４で分波された光時分割多重信号２５ｂは、第２の光カプラ２１２を通過して光時分割多重信号２５ｂ’となって、ゲーティング部２８に供給される。
【０１２２】
図８を参照して、ゲーティング部２８の構造及びその機能を説明する。光時分割多重信号２５ｂ’は、分波器２２０によって第１チャンネルないし第４チャンネルの信号を取り出すための光時分割多重信号２２０ａ、２２０ｂ、２２０ｃ及び２２０ｄに分波される。
【０１２３】
光時分割多重信号２２０ａは、第２１光変調器２２８によってゲーティングされ、第１チャンネルの光パルス信号２９ａが取り出される。光時分割多重信号２２０ｂは、遅延微調器２２２によって０．０２５ｎｓの時間遅延が付加された後、第２２光変調器２３０によって第２チャンネルの光パルス信号２９ｂが取り出される。光時分割多重信号２２０ｃは、遅延微調器２２４によって０．０５ｎｓの時間遅延が付加された後、第２３光変調器２３２によって第３チャンネルの光パルス信号２９ｃが取り出される。光時分割多重信号２２０ｄは、遅延微調器２２６によって０．０７５ｎｓの時間遅延が付加された後、第２４光変調器２３４によって第４チャンネルの光パルス信号２９ｄが取り出される。
【０１２４】
第２１光変調器２２８、第２２光変調器２３０、第２３光変調器２３２及び第２４光変調器２３４には、電気クロック信号抽出部２６からそれぞれ、電気クロック信号２６ａ１、２６ａ２、２６ａ３及び２６ａ４が供給され、第１チャンネルの光パルス信号２９ａ、第２チャンネルの光パルス信号２９ｂ、第３チャンネルの光パルス信号２９ｃ及び第４チャンネルの光パルス信号２９ｄがゲーティングされる。
【０１２５】
図７において、電気クロック信号２６ａと示された信号線は、電気クロック信号２６ａ１、２６ａ２、２６ａ３及び２６ａ４を総称したものである。
【０１２６】
＜電界吸収型光変調器（ＥＡＭ）モジュール＞
図９を参照して、上述した光変調器の構造について説明する。この光変調器は、電界吸収型光変調器（ＥＡＭ：  Ｅｌｅｃｔｒｏ−Ａｂｓｏｒｐｔｉｏｎ  Ｍｏｄｕｌａｔｏｒ）によって構成される。もちろん光変調器としては、ここで説明するＥＡＭ変調器に限らず、ＬｉＮｂＯ３を用いた光変調器等を利用することができる。
【０１２７】
光変調器（この光変調器の筐体を３１０とする。）は、ＥＡＭ素子３２０、レンズ３１２ａ及び３１２ｂ、高速の電気信号用に作られている電気コネクタ３２６、ＥＡＭ素子３２０にバイアス電圧を印加するための直流電源３１８、及び直流電源３１８とＥＡＭ素子３２０とを結ぶ電気抵抗３１６を具えて構成される。また、ＥＡＭ素子３２０には、電気ケーブル３２４及び電気コネクタ３２６を介して電気パルス信号供給装置３２２から電気パルス信号が供給される。電気パルス信号は、２値デジタル電気信号あるいはＲＦ信号のいずれかである。以後、電気パルス信号が、２値デジタル電気信号あるいはＲＦ信号のいずれでも成立する場合には、特に断らずに、単に電気パルス信号と表記する。
【０１２８】
電気コネクタ３２６及び電気ケーブル３２４は、高速電気信号用に設計されたものを用いる。例えば、電気ケーブル３２４は同軸ケーブルを、また電気コネクタ３２６には、Ｖコネクタ、ＫコネクタあるいはＳＭＡコネクタ等が使われる。
【０１２９】
この発明の光時分割多重通信装置においては、電気パルス信号供給装置３２２の役割を果たすのは、光ＭＵＸ側（送信側）の光変調器３４ａ、３４ｂ、３４ｃ及び３４ｄと、光ＤＥＭＵＸ側（受信側）の光変調器２２８、２３０、２３２及び２３４とにそれぞれ電気パルス信号を供給する装置である。
【０１３０】
光ＭＵＸ側（送信側）では、光変調器３４ａ、３４ｂ、３４ｃ及び３４ｄにコーディングするための２値デジタル電気信号を供給するための電気パルス信号供給装置（図示せず）が必要である。この送信側に設けられる電気パルス信号供給装置は、チャンネル毎に設置され、各チャンネルの情報を２値デジタル信号化された２値デジタル電気信号を、各チャンネルに割り当てられたそれぞれの光変調器２２８、２３０、２３２及び２３４に供給する。
【０１３１】
一方、光ＤＥＭＵＸ側（受信側）では、光変調器２２８、２３０、２３２及び２３４にゲーティングするための２値デジタル電気信号を供給するための電気パルス信号供給装置（図示せず）が必要である。この受信側に設けられる電気パルス信号供給装置は、チャンネル毎に設置され、各チャンネルに対応する基準クロック信号（基準クロック信号の周波数の光パルス列として送られてきた信号を光電変換して得られた電気信号としての電気クロック信号である。）を、各チャンネルに割り当てられたそれぞれの光変調器２２８、２３０、２３２及び２３４に供給する。
【０１３２】
ＥＡＭ素子３２０は、半導体素子であって、光導波路（図示せず）を具えている。この光導波路を伝播する光は、ＥＡＭ素子３２０に印加される電圧によって、導波されたり導波されなかったりする。すなわち、この光導波路を伝播する光パルス列は、このＥＡＭ素子３２０に電気パルス信号供給装置３２２から供給される電気パルス信号によって光変調される。言い換えると、ＥＡＭ素子３２０は、ＥＡＭ素子３２０の光導波路を伝播する光のシャッターの役割を果たす。
【０１３３】
ＥＡＭ素子３２０に印加される電圧は、バイアス電圧を加えるための直流電源３１８及び、電気ケーブル３２４及び電気コネクタ３２６を介して、電気パルス信号供給装置３２２から供給される。このうち、光パルス列を変調するために電気パルス信号を供給する電気パルス信号供給装置とＥＡＭ素子とは直流的にはコンデンサー（図示せず）によって切断されている。
【０１３４】
図９に示した光変調器は、光変調器の筐体３１０に光を透過する窓３２８ａ及び３２８ｂを具えており、例えば、この図９の左側から光パルス列３１４ａが入射すると、この光パルス列は、ＥＡＭ素子３２０の光導波路（図示せず）にレンズ３１２ａによって集光されて入射される。
【０１３５】
送信側に設置される光変調器にあっては、ＥＡＭ素子３２０の光導波路を導波した光パルス列は変調を受けて光パルス信号となって、ＥＡＭ素子３２０の光導波路から出射してレンズ３１２ｂを介して、光変調器の窓３２８ｂから出射する。また、受信側に設置される光変調器にあっては、ＥＡＭ素子３２０の光導波路を導波した光時分割多重信号はゲーティングされチャンネル毎の光パルス信号となって、ＥＡＭ素子３２０の光導波路から出射してレンズ３１２ｂを介して、光変調器の窓３２８ｂから出射する。
【０１３６】
以上説明したように、この発明の光時分割多重通信装置の光ＭＵＸ部１０に設置される光変調器の場合には、電気パルス信号供給装置３２２から供給される電気信号が、この発明の各チャンネルの送信されるべき信号が２値デジタル電気信号に相当する。一方、光ＤＥＭＵＸ部２０に設置されるＥＡＭ変調器の場合には、電気パルス信号供給装置３２２から供給される電気パルス信号（ＲＦ信号）が、電気クロック信号２６ａ１、２６ａ２、２６ａ３及び２６ａ４に相当する。
【０１３７】
【発明の効果】
以上説明したように、この発明の光時分割多重通信方法及び光時分割多重通信装置によれば、光クロック信号と光時分割多重された光パルス信号とは、互いに偏光方向が直交する光線束として合波され、送受信される。このことによって受信側では、従来の方法によって、電気クロック信号を抽出するよりも簡便な方法で電気クロック信号を抽出でき、再生される電気クロック信号の雑音成分は少なくできる。また、光ファイバを介して伝送された光パルス信号の強度が一瞬低くなりすぎて、再生された電気クロック信号による制御が一瞬の間はずれた場合であっても、再び電気クロック信号によって正常に制御される最先の光パルスは、光多重されたどのチャンネルのものであるかを容易に確定できる。また、光ファイバを介して伝送された光線束の偏光状態が揺らいでも、偏光調整器によって、光時分割多重信号の光線束と光クロック信号の光線束とが互いの光強度変調成分を含むことなく二つの光線束に分離できる。このことによって、光時分割多重信号をゲーティングする際に、各チャンネルの信号の劣化を防止できる。
【図面の簡単な説明】
【図１】光時分割多重通信装置のブロック構成図である。
【図２】光時分割多重通信装置の送信部のブロック構成図である。
【図３】（Ａ）〜（Ｄ）は、光時分割多重通信装置の各部における光パルス列及び光パルス信号の様子の説明に供する図である。
【図４】光ＭＵＸモジュールのブロック構成図（その１）である。
【図５】（Ａ）〜（Ｈ）は、光ＭＵＸモジュール内で生成される光時分割多重パルス信号の生成過程の説明に供する図である。
【図６】光ＭＵＸモジュールのブロック構成図（その２）である。
【図７】光時分割多重通信装置の受信部のブロック構成図である。
【図８】光ＤＥＭＵＸ部のブロック構成図である。
【図９】光変調器の概略図である。
【符号の説明】
１０：光ＭＵＸ部
１２：第１の偏光分波器
１４：コーディング部
１６：偏光合波器
１８：光ファイバ
２０：光ＤＥＭＵＸ部
２２：偏光調整器
２４：第２の偏光分波器
２６：電気クロック信号抽出部
２８：ゲーティング部
３２、５２、７０、９２、２２０：分波器
３４ａ、６４：第１光変調器
３４ｂ、７８：第２光変調器
３４ｃ、６６：第３光変調器
３４ｄ、８０：第４光変調器
３６ｂ、３６ｃ、３６ｄ、６８、８２、８４、２２２、２２４、２２６：遅延微調器
３８、５４、５８、７２、９６：合波器
６０、６２、７４、７６、８６、８８：反射器
９０：１／２波長板
１１０、１１２：２逓倍モジュール
２１０：第１の光カプラ
２１２：第２の光カプラ
２１４：第１の光パワー検出器
２１６：第２の光パワー検出器
２１８：偏光調整器制御装置
２２８：第２１光変調器
２３０：第２２光変調器
２３２：第２３光変調器
２３４：第２４光変調器
３１０：光変調器の筐体
３１２ａ、３１２ｂ：レンズ
３１６：電気抵抗
３１８：直流電源
３２０：ＥＡＭ素子
３２２：電気パルス信号供給装置
３２６：電気コネクタ
３２８ａ、３２８ｂ：窓
【図１】
2005005897.tif 000003
【図２】
2005005897.tif 000004
【図３】
2005005897.tif 000005
【図４】
2005005897.tif 000006
【図５】
2005005897.tif 000007
【図６】
2005005897.tif 000008
【図７】
2005005897.tif 000009
【図８】
2005005897.tif 000010
【図９】
2005005897.tif 000011